(57)【要約】【課題】作業員が対象の計量器を容易に特定できる計量器管理システム及び計量器を提供すること。【解決手段】計量器管理システム１は、管理サーバ１０、並びに当該管理サーバ１０と通信接続された携帯端末２０及びスマートメータ３０を有し、管理サーバ１０は、契約詳細情報、及びスマートメータ３０を対応付けて管理する情報管理部１１と、携帯端末２０から契約識別情報を受信したことに応じて、当該契約識別情報に対応するスマートメータ３０を特定し、特定された当該スマートメータ３０へ報知指示を行う特定部１２と、を備え、携帯端末２０は、契約識別情報の入力を受け付け、管理サーバ１０へ送信する第１受付部２１を備え、スマートメータ３０は、報知指示に応じた出力を行う出力部３１を備える。【選択図】図２
2017101948.tif 000002
【特許請求の範囲】
【請求項１】
管理サーバ、並びに当該管理サーバと通信接続された携帯端末及び計量器を有する計量器管理システムであって、
前記管理サーバは、
契約詳細情報、及び前記計量器を対応付けて管理する情報管理部と、
前記携帯端末から契約識別情報を受信したことに応じて、当該契約識別情報に対応する前記計量器を特定し、特定された当該計量器へ報知指示を行う特定部と、を備え、
前記携帯端末は、
前記契約識別情報の入力を受け付け、前記管理サーバへ送信する第１受付部を備え、
前記計量器は、
前記報知指示に応じた出力を行う出力部を備える計量器管理システム。
【請求項２】
前記特定部は、前記契約識別情報により識別される前記契約詳細情報を、前記携帯端末へ送信し、
前記携帯端末は、前記契約詳細情報を表示する表示部を備える請求項１に記載の計量器管理システム。
【請求項３】
前記携帯端末は、
前記出力を終了させるための指示入力を受け付け、前記管理サーバへ送信する第２受付部を備え、
前記管理サーバは、
前記指示入力に応じて、前記計量器へ終了指示を行う指示部を備え、
前記出力部は、前記終了指示に応じて前記出力を終了する請求項１又は請求項２に記載の計量器管理システム。
【請求項４】
契約識別情報の入力に応じて当該契約識別情報に対応付けられている計量器が管理サーバにより特定されると、当該特定された計量器に対して前記管理サーバから送信される報知指示を受信する受信部と、
前記報知指示に応じた出力を行う出力部と、を備える計量器。
【発明の詳細な説明】
【技術分野】
【０００１】
本発明は、契約情報と計量器とを対応付けるための計量器管理システム及び計量器に関する。
【背景技術】
【０００２】
従来、電力量計等の計量器の場所を特定し、検針、検査、交換等を行う際には、作業員は、契約情報の住所及び氏名等を参照して訪問していた。
このとき、間違いなく効率良く現場に到着するための情報提供の技術が提案されている。例えば、特許文献１には、計量器の位置を地図上に対応させて携帯端末に表示することにより、計量器の位置を視覚的に把握させる技術が提案されている。
【先行技術文献】
【特許文献】
【０００３】
【特許文献１】特開２００７−７１７３９号公報
【発明の概要】
【発明が解決しようとする課題】
【０００４】
しかしながら、例えば、同一地域に同姓の契約者がいる場合、又は同一契約者が複数種別（電灯、電力等）の契約、すなわち複数の計量器を設置している場合等、住所、氏名及び地図情報のみでは、個別の計量器を特定する際に間違いも発生しやすく、作業時間が増大していた。
【０００５】
本発明は、作業員が対象の計量器を容易に特定できる計量器管理システム及び計量器を提供することを目的とする。
【課題を解決するための手段】
【０００６】
本発明に係る計量器管理システムは、管理サーバ、並びに当該管理サーバと通信接続された携帯端末及び計量器を有する計量器管理システムであって、前記管理サーバは、契約詳細情報、及び前記計量器を対応付けて管理する情報管理部と、前記携帯端末から契約識別情報を受信したことに応じて、当該契約識別情報に対応する前記計量器を特定し、特定された当該計量器へ報知指示を行う特定部と、を備え、前記携帯端末は、前記契約識別情報の入力を受け付け、前記管理サーバへ送信する第１受付部を備え、前記計量器は、前記報知指示に応じた出力を行う出力部を備える。
【０００７】
前記特定部は、前記契約識別情報により識別される前記契約詳細情報を、前記携帯端末へ送信し、前記携帯端末は、前記契約詳細情報を表示する表示部を備えてもよい。
【０００８】
前記携帯端末は、前記出力を終了させるための指示入力を受け付け、前記管理サーバへ送信する第２受付部を備え、前記管理サーバは、前記指示入力に応じて、前記計量器へ終了指示を行う指示部を備え、前記出力部は、前記終了指示に応じて前記出力を終了してもよい。
【０００９】
本発明に係る計量器は、契約識別情報の入力に応じて当該契約識別情報に対応付けられている計量器が管理サーバにより特定されると、当該特定された計量器に対して前記管理サーバから送信される報知指示を受信する受信部と、前記報知指示に応じた出力を行う出力部と、を備える。
【発明の効果】
【００１０】
本発明によれば、作業員が対象の計量器を容易に特定できる。
【図面の簡単な説明】
【００１１】
【図１】実施形態に係る計量器管理システムの構成を示す概略図である。
【図２】実施形態に係る計量器管理システムの機能構成を示すブロック図である。
【図３】実施形態に係る計量器管理システムにおける処理の流れを示すシーケンス図である。
【発明を実施するための形態】
【００１２】
以下、本発明の実施形態の一例について説明する。
図１は、本実施形態に係る計量器管理システム１の構成を示す概略図である。
【００１３】
計量器管理システム１は、管理サーバ１０と、携帯端末２０と、スマートメータ３０（計量器）とを備える。
管理サーバ１０は、ユーザ（作業員）の携帯端末２０及びスマートメータ３０と通信可能に接続されており、電気需要家の契約情報を管理している。
【００１４】
携帯端末２０は、ユーザから契約番号及び契約種別等の契約識別情報を受け付け、管理サーバ１０へ送信する。管理サーバ１０は、受信した契約識別情報に基づいて、対応するスマートメータ３０を特定し、特定したスマートメータ３０に対して報知指示信号を送信する。
スマートメータ３０は、報知指示信号を受信したことに応じて、所定の表示又は発光等の出力を行い、対象の機器であることをユーザに報知する。
【００１５】
図２は、本実施形態に係る計量器管理システム１の機能構成を示すブロック図である。
管理サーバ１０は、情報管理部１１と、特定部１２と、指示部１３とを備える。
【００１６】
情報管理部１１は、需要家の契約詳細情報、及びスマートメータ３０を対応付けて管理する。契約詳細情報には、契約識別情報である契約番号及び契約種別に対応付けられた、契約者氏名、住所、発電事業者等の情報が含まれる。
【００１７】
特定部１２は、携帯端末２０から契約識別情報を受信したことに応じて、この契約識別情報に対応するスマートメータ３０を特定する。そして、特定部１２は、特定したスマートメータ３０に対して報知指示信号を送信する。
また、特定部１２は、契約識別情報により識別される契約詳細情報の少なくとも一部を、携帯端末２０へ送信する。
【００１８】
指示部１３は、携帯端末２０における報知出力を終了させるための指示入力に応じて、特定部１２により特定されたスマートメータ３０へ終了指示信号を送信する。
【００１９】
携帯端末２０は、第１受付部２１と、表示部２２と、第２受付部２３とを備える。
第１受付部２１は、ユーザから契約識別情報の入力を受け付け、管理サーバ１０へ送信する。
表示部２２は、管理サーバ１０から受信した契約詳細情報を表示する。
第２受付部２３は、ユーザから、スマートメータ３０における報知出力を終了させるための指示入力を受け付け、管理サーバ１０へ送信する。
【００２０】
スマートメータ３０は、出力部３１を備える。
出力部３１は、管理サーバ１０から受信した報知指示信号に応じた出力を行う。
具体的には、出力部３１は、報知指示に応じて、例えば、文字又は記号等の表示若しくは点滅表示といった所定の出力パターンをディスプレイに出力する。あるいは、出力部３１は、ＬＥＤ等の専用のデバイスにより、発光若しくは点滅等の出力、又はスピーカにより音声の出力等を行ってもよい。
また、出力部３１は、管理サーバ１０から受信した終了指示信号に応じて、報知出力を終了する。
【００２１】
図３は、本実施形態に係る計量器管理システム１における処理の流れを示すシーケンス図である。
【００２２】
ステップＳ１において、携帯端末２０（第１受付部２１）は、ユーザから作業対象のスマートメータ３０を特定するための契約識別情報の入力を受け付ける。
【００２３】
ステップＳ２において、携帯端末２０（第１受付部２１）は、ステップＳ１で受け付けた契約識別情報を、管理サーバ１０へ送信する。
【００２４】
ステップＳ３において、管理サーバ１０（特定部１２）は、ステップＳ２で受信した契約識別情報に基づいて、情報管理部１１により管理されている契約詳細情報及び対応するスマートメータ３０の識別子を特定し、抽出する。
【００２５】
ステップＳ４において、管理サーバ１０（特定部１２）は、ステップＳ３で抽出した識別子により、対象のスマートメータ３０に対して報知指示信号を送信する。
【００２６】
ステップＳ５において、管理サーバ１０（特定部１２）は、ステップＳ３で抽出した契約詳細情報を、携帯端末２０へ送信する。
【００２７】
ステップＳ６において、スマートメータ３０（出力部３１）は、ステップＳ４で報知指示信号を受信したことに応じて、所定の報知出力を行う。
【００２８】
ステップＳ７において、携帯端末２０（表示部２２）は、ステップＳ５で受信した契約詳細情報を表示する。
【００２９】
ステップＳ８において、携帯端末２０（第２受付部２３）は、対象のスマートメータ３０における報知出力の確認を終了した、又は別のスマートメータ３０を見ていて報知出力を確認できない場合、この報知出力を終了させるための指示入力をユーザから受け付ける。
【００３０】
ステップＳ９において、携帯端末２０（第２受付部２３）は、ステップＳ８で受け付けた指示入力に基づく信号を、管理サーバ１０へ送信する。
【００３１】
ステップＳ１０において、管理サーバ１０（指示部１３）は、ステップＳ９で受信した信号に基づいて、ステップＳ４で報知指示信号を送信したスマートメータ３０へ、終了指示信号を送信する。
【００３２】
ステップＳ１１において、スマートメータ３０（出力部３１）は、ステップＳ１０で終了指示信号を受信したことに応じて、ステップＳ６の報知出力を終了する。
【００３３】
本実施形態によれば、計量器管理システム１は、携帯端末２０への契約識別情報の入力に応じて、管理サーバ１０においてスマートメータ３０が特定され、特定されたスマートメータ３０が所定の報知出力を行う。この報知出力によって、ユーザは、対象のスマートメータ３０を容易に特定し、効率良く作業を実施できる。
この結果、例えばスマートメータ３０を交換する場合、作業者は、交換前及び交換後のそれぞれの機器を容易に確認し、迅速に間違いなく作業を実施できる。
【００３４】
また、計量器管理システム１は、携帯端末２０に対して契約詳細情報を送信してユーザに提示するので、対象の契約内容をユーザに確認させ、入力間違い等による作業ミス又は遅れ等を抑制できる。
【００３５】
また、計量器管理システム１は、携帯端末２０の操作によってスマートメータ３０における報知出力を停止する手段を提供するので、確認終了時に、又は誤って別の場所で出力されている処理を遠隔で終了できる。
【００３６】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００３７】
本実施形態では、スマートメータ３０における報知出力を、携帯端末２０からの指示入力に応じて終了させる例を示したが、報知出力の終了させる契機は、これには限られない。例えば、スマートメータ３０は、ユーザによる本体の操作（スイッチ、又はコマンド入力等）に応じて報知出力を終了してもよい。あるいは、携帯端末２０は、無線又は有線の通信により直接、スマートメータ３０へ指示信号を送信してもよい。
【００３８】
また、スマートメータ３０は、計量器管理システム１により管理される機器の一例であり、対象の機器は、電気、水道又はガス等、様々な計量器であってよい。さらに、本実施形態の構成は、計量器に限らず、管理サーバ１０と通信接続可能な電子機器に適用可能である。
【００３９】
本実施形態の各機能は、ハードウェア、ソフトウェア又はこれらの組み合わせにより実現される。ソフトウェアによって実現される場合には、このソフトウェアを構成するプログラムが、情報処理装置（管理サーバ１０、携帯端末２０、スマートメータ３０）にインストールされる。また、これらのプログラムは、ＣＤ−ＲＯＭのようなリムーバブルメディアに記録されてユーザに配布されてもよいし、ネットワークを介してユーザのコンピュータ（携帯端末２０）にダウンロードされることにより配布されてもよい。
【符号の説明】
【００４０】
１  計量器管理システム
１０  管理サーバ
１１  情報管理部
１２  特定部
１３  指示部
２０  携帯端末
２１  第１受付部
２２  表示部
２３  第２受付部
３０  スマートメータ（計量器）
３１  出力部
【図１】
2017101948.tif 000003
【図２】
2017101948.tif 000004
【図３】
2017101948.tif 000005